(57)【要約】【課題】  書込み回数の増加に伴う媒体本体の外表面の汚れ、傷等、受電部の劣化等を防止することにより、書込み回数の寿命を延ばすようにした表示記録媒体を提供する。【解決手段】  媒体本体としての電子ペーパ１０は、一対の電極間に電圧を印加した状態で書込みパターン光を照射することにより可視可能な画像が書き込まれると共に、書き換えが可能である。この電子ペーパ１０は、収納部２０Ａを有するカートリッジ２０に着脱自在に収納することができる。カートリッジ２０は、書込表示領域１１に対応する部分が透明にされ、また、電子ペーパ１０の受電部１２Ａ，１２Ｂを露出させる開口２３Ａ，２３Ｂが設けられている。【選択図】        図１
2005266543.tif 000002
【特許請求の範囲】
【請求項１】
書込装置によって書き込まれた画像を無電源で保持および書替え可能な媒体本体と、
交換可能に前記媒体本体を被覆するとともに、少なくとも前記画像の表示領域に対応する部分が透光性を有する被覆部材とを備えたことを特徴とする表示記録媒体。
【請求項２】
一対の電極間に光導電層および液晶層を積層してなり、前記一対の電極間への電圧の印加と前記光導電層への書込みパターン光の照射によって前記液晶層に書き込まれた画像を表示する媒体本体と、
交換可能に前記媒体本体を被覆するとともに、少なくとも前記書込みパターン光による書込み領域および前記画像の表示領域に対応する部分が透光性を有する被覆部材とを備えたことを特徴とする表示記録媒体。 
【請求項３】
前記被覆部材は、前記媒体本体を着脱自在に収納する収納体であることを特徴とする請求項１又は２記載の表示記録媒体。
【請求項４】
前記被覆部材は、熱収縮部材からなることを特徴とする請求項１又は２記載の表示記録媒体。
【請求項５】
前記媒体本体は、前記一対の電極に接続され、前記電圧が給電される一対の受電部を備え、
前記被覆部材は、前記一対の受電部を露出させる一対の開口を備えたことを特徴とする請求項２記載の表示記録媒体。
【請求項６】
前記一対の受電部は、同一の面に設けられていることを特徴とする請求項５記載の表示記録媒体。
【請求項７】
前記一対の受電部は、同一の面に設けられ、
前記書込み領域および前記表示領域は、前記一対の受電部が設けられた前記面に設けられていることを特徴とする請求項５記載の表示記録媒体。
【請求項８】
前記媒体本体は、前記一対の電極に接続され、前記電圧が給電される一対の受電部を備え、
前記被覆部材は、前記媒体本体を着脱自在に収納する収納体であって、前記一対の受電部を露出させる一対の開口と、前記一対の開口に設けられ、前記一対の受電部に接触する一対のコンタクトとを備えたことを特徴とする請求項２記載の表示記録媒体。
【請求項９】
前記一対のコンタクトは、前記媒体本体を前記収納体に装着したときに、前記一対の受電部に接触することを特徴とする請求項８記載の表示記録媒体。
【請求項１０】
前記一対のコンタクトは、前記電圧を給電する給電端子の押圧動作によって前記一対の受電部に接触することを特徴とする請求項８記載の表示記録媒体。
【請求項１１】
前記被覆部材は、当該表示記録媒体の搬送を補助する搬送補助手段を備えたことを特徴とする請求項１又は２記載の表示記録媒体。
【請求項１２】
前記搬送補助手段は、ローラ，歯車等の搬送手段が接触する表面部分に設けられた高摩擦部材であることを特徴とする請求項１１記載の表示記録媒体。
【請求項１３】
前記搬送補助手段は、ローラ，歯車等の搬送手段が接触する表面部分に形成された凹凸部であることを特徴とする請求項１１記載の表示記録媒体。
【請求項１４】
前記搬送補助手段は、フック等の係止部材が係合する開口等の係合部であることを特徴とする請求項１１記載の表示記録媒体。
【請求項１５】
前記被覆部材は、複数の前記媒体本体を着脱自在に収容する複数の収納体であり、
前記複数の収納体は、柔軟性を有する連結部材によって折り畳み自在に結合されていることを特徴とする請求項１又は２記載の表示記録媒体。
【請求項１６】
前記媒体本体は、前記一対の電極を被覆するとともに、少なくとも前記書込みパターン光の書込み領域および前記画像の表示領域に対応する部分が透光性を有する本体被覆部材を備えたことを特徴とする請求項２記載の表示記録媒体。
【請求項１７】
前記書込み領域および前記表示領域は、同一の面に設けられたことを特徴とする請求項２記載の表示記録媒体。
【請求項１８】
前記書込み領域および前記表示領域は、異なる面に設けられたことを特徴とする請求項２記載の表示記録媒体。
【請求項１９】
電圧の印加と書込みパターン光の照射によって画像が書き込まれる複数の書込み領域と、
照明光の照射によって前記画像を表示する複数の表示領域とを備えたことを特徴とする表示記録媒体。
【請求項２０】
前記媒体本体および前記被覆部材は、
前記一対のコンタクトおよび前記一対の受電部間に設けられた導電性弾性部材を備えたことを特徴とする請求項８記載の表示記録媒体。
【発明の詳細な説明】
【技術分野】
【０００１】
本発明は、書込装置によって書き込まれた画像を無電源で保持および書替え可能な表示記録媒体に関し、特に、書込み回数の増加に伴う媒体本体の外表面の汚れ、傷等、受電部の劣化等を防止することにより、書込み回数の寿命を延ばすようにした表示記録媒体に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのエネルギを与えるだけで良く、表示を維持するエネルギ付与は不要である。従って、情報の書込み後に書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む画像記録装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に受電部を介して電圧を印加して、光導電層の抵抗分布に基づく分圧分布を液晶層に印加し、分圧分布に応じた画像を液晶層に記録するものである。
【特許文献１】特開２００１−３０１２３３号公報
【発明の開示】
【発明が解決しようとする課題】
【０００６】
しかし、従来の表示記録媒体によると、表示記録媒体の外表面が軟質な材料を用いて構成されていると共に、１枚の表示記録媒体が繰り返し用いられるリサイクルペーパであり、更に、画像書込装置に装填及び排出される際に水平方向に搬送されるため、外表面および受電部に疵や傷が付いたり、磨耗したりして、画像の書込み時や表示時における再現性が低下するという問題がある。
【０００７】
また、２枚の記録媒体を連結して大きな１枚の表示記録媒体を形成し、従来の２枚分を同時に見ることができると共に、収納時には半分に折り畳めるようにした表示記録媒体が考えられている。この場合、１枚の記録媒体のみが使用不能になれば、本来の使用目的を達成できなくなり、使用可能な他の１枚も廃棄せざるを得なくなる。
【０００８】
このように、従来の表示記録媒体は、外表面の耐久性に劣るため、媒体単体で多数回の使用を可能にすることは難しい。表示記録媒体は低価格化が容易でないため、頻繁に交換が生じることはランニングコストのアップを招き、普及の障害になる。
【０００９】
従って、本発明の目的は、書込み回数の増加に伴う媒体本体の外表面の汚れ、傷等、受電部の劣化等を防止することにより、書込み回数の寿命を延ばすようにした表示記録媒体を提供することにある。
【課題を解決するための手段】
【００１０】
本発明は、上記の目的を達成するため、一対の電極間に光導電層および液晶層を積層してなり、前記一対の電極間への電圧の印加と前記光導電層への書込みパターン光の照射によって前記液晶層に書き込まれた画像を表示する媒体本体と、交換可能に前記媒体本体を被覆するとともに、少なくとも前記書込みパターン光の書込み領域および前記画像の表示領域に対応する部分が透光性を有する被覆部材とを備えたことを特徴とする表示記録媒体を提供する。
【００１１】
上記構成において、光導電層に書込みパターン光が照射されると、光導電層の光が照射された部分の抵抗値が小さくなり、それにより、光導電層とのインピーダンス比で決まる液晶層の分圧が増加し、液晶層における光反射率あるいは透過率が大きくなる。従って、液晶層に照明光を照射することにより、その反射光あるいは透過光によって画像を視認することができる。
【００１２】
被覆部材が汚れたり傷等が付いた場合に、被覆部材のみを新たなものに交換すれば、高価な媒体本体を再利用することができる。
【００１３】
前記媒体本体は、前記一対の電極に接続され、前記電圧が給電される一対の受電部を備え、前記被覆部材は、前記媒体本体を着脱自在に収納する収納体であって、前記一対の受電部を露出させる一対の開口と、前記一対の開口に設けられ、前記一対の受電部に接触する一対のコンタクトとを備えた構成としてもよい。
【００１４】
一対のコンタクトは、媒体本体を収納体に装着した際、あるいは装着後、給電端子の一対のコンタクトへの押圧動作の際に一対の受電部に接触し、一対の電極と導通状態となる。
【発明の効果】
【００１５】
本発明の表示記録媒体によれば、被覆部材が汚れたり傷等が付けられた場合に、被覆部材のみを新たなものに交換すれば、高価な媒体本体を再利用することができるため、書込み回数の増加に伴う媒体本体の外表面の汚れ、傷等の劣化等を防止することができ、書込み回数の寿命を延ばすことができる。
また、媒体本体に着脱可能な収納体に一対のコンタクトを設け、一対のコンタクトを介して一対の電極に接触させることにより、書込み回数の増加に伴う媒体本体の受電部の劣化等を防止することができ、書込み回数の寿命を延ばすことができる。
【発明を実施するための最良の形態】
【００１６】
［第１の実施の形態］（表示記録媒体の全体構成）
図１は、本発明の第１の実施の形態に係る表示記録媒体を示す。同図中、（ａ）は分解斜視図を示し、（ｂ）は組み付け後の状態を示す。この表示記録媒体１は、光画像を記憶すると共に書き換え可能な媒体本体としての電子ペーパ１０と、袋状を成して電子ペーパ１０を着脱自在に収納する収納体としてのカートリッジ２０とを備えて構成されている。
【００１７】
（表示記録媒体の各部の構成）
電子ペーパ１０は、図１の（ａ）の様に矢印方向からカートリッジ２０に挿入すると、図１の（ｂ）の様に収納することができる。電子ペーパ１０とカートリッジ２０が一体化されることにより、表示記録媒体１が構成される。図１の（ｂ）において、表示記録媒体１は、下面が画像の書込み面および表示面になる。
【００１８】
また、電子ペーパ１０は、シート状を成し、片面（図１の下面）に書込表示領域１１を有する他、内部の両面に設けられている透明電極に画像書込みの際に電圧を印加するための受電部１２Ａ，１２Ｂが設けられている。受電部１２Ａ，１２Ｂへの電圧印加は、画像書込装置から行われる。電子ペーパ１０の詳細については、図２で説明する。
【００１９】
カートリッジ２０は、軟質プラスチック、塩化ビニール等の柔軟性を有する材料により袋状に形成されており、これにより電子ペーパ１０を収納する収納部２１が形成されている。電子ペーパ１０の挿入口に沿って、挿入方向識別帯２２が設けられている。この挿入方向識別帯２２の一端の近傍には、電子ペーパ１０の一対の受電部１２Ａ，１２Ｂを露出させる開口２３Ａ，２３Ｂが配設されている。挿入方向識別帯２２は、表示記録媒体１が画像書込装置に正しく挿入されたか否かを検出するために用いられる。更に、カートリッジ２０の下面には、電子ペーパ１０への画像の書込みをし、また画像表示内容を利用者が読み取れるように、電子ペーパ１０の書込表示領域１１に合わせて透明な透光部２５が設けられている。なお、カートリッジ２０全体を透光性を有するエポキシ樹脂等の材料によって形成してもよい。また、カートリッジ２０全体を透光性を有する材料で形成し、透光部２５以外に着色を施しても良い。
【００２０】
挿入方向識別帯２２は、挿入口に沿って設けられるほか、裏面の一方の短辺近傍にも設けられており、それぞれ光反射率の低い色（例えば黒色）によって形成されている。なお、挿入方向識別帯２２及び透光部２５以外の表面及び裏面の周辺近傍は、光反射率の高い色、例えば、白色にしている。
【００２１】
（電子ペーパの詳細構成）
図２は、図１の（ｂ）に示す表示記録媒体１のＡ−Ａ線の断面を示す。この電子ペーパ１０は、薄型矩形状を有し、図２の裏面１０ｂ側から書込みパターン光３０が照射され、更に、受電部１２Ａ，１２Ｂに電圧が印加されることによって画像が書き込まれる。書き込まれた画像は、画像書込装置から排出された後、図２に示す矢印方向から見ることができる。
【００２２】
電子ペーパ１０は、対向配置されたＰＥＴ（ポリエチレンテレフタレート）フィルムからなる本体被覆部材としての一対の基板１３Ａ，１３Ｂと、一対の基板１３Ａ，１３Ｂの内側に設けられたＩＴＯ（インジウム錫酸化物）からなる一対の透明電極１４Ａ，１４Ｂと、裏面１０ｂ側の透明電極１４Ｂの内側に設けられ、印加電圧に応じて反射率（透過率）が変化するコレステリック液晶からなる液晶層１５と、液晶層１５の内側に設けられた隔離層１６と、隔離層１６の内側に設けられ、書込みパターン光３０の照射によって抵抗値が小さくなるように、２つの電荷発生層１７ａ，１７ｃ間に電荷輸送層１７ｂを配置して形成された光導電層１７と、光導電層１７の上側に設けられた光吸収層１８と、裏面１０ｂ側の透明電極１４Ｂから表面１０ａ側に延在する延在部１９とを備えて構成されている。
【００２３】
延在部１９の上端には、受電部１２Ａが形成され、透明電極１４Ａの端部には受電部１２Ｂが形成されている。
【００２４】
（画像書込装置の構成）
図３および図４は、表示記録媒体１に画像書き込を行うための画像書込装置の構成を示す。図３は画像書込装置の平面図を示し、図４において、（ａ）は図３のＦ−Ｆ線の断面を示し、（ｂ）は図３のＧ−Ｇ線の断面を示し、（ｃ）は図３のＨ−Ｈ線の断面を示している。
【００２５】
画像書込装置１００は、本体部を成す下部筐体１１０と、この下部筐体１１０上に設置される上部筐体１３０とを備えて構成されている。
【００２６】
下部筐体１１０は、搬送ローラ１１１Ａ，１１１Ｂ，１１１Ｃ，１１１Ｄを備える媒体搬送部１１２と、ＬＣＤ（液晶ディスプレィ）パネル１１３及びバックライト１１４を備える書込部１１５と、端子取付部１１６と、給電端子１１７Ａ，１１７Ｂと、ストッパ１１８Ａ，１１８Ｂと、媒体停止センサ１１９と、排出終了センサ１２０と、開口１２３Ａ，１２３Ｂと、ガイド１２４Ａ，１２４Ｂとを備えて構成されている。
【００２７】
また、上部筐体１３０は、表示記録媒体１の誤挿入を検出する誤差しセンサ１３１，１３１Ｂと、電磁ソレノイド１３２Ａ，１３２Ｂ及び押圧板１３３を備える媒体押付け部１３４と、開口１３５とを備えて構成されている。
【００２８】
下部筐体１１０と上部筐体１３０の間には、表示記録媒体１を挿入するための挿入口１５１、及び挿入された表示記録媒体１が介在する空間１５２が形成されている。媒体搬送部１１２は、挿入口１５１から挿入された表示記録媒体１を媒体搬送部１１２の搬送ローラ１１１Ａ〜１１１Ｄの回転により、画像書込位置である空間１５２へ搬入するほか、書き込の終了した表示記録媒体１を外部へ搬出する。
【００２９】
書込部１１５は、バックライト１１４により背面から照明されているＬＣＤパネル１１３に対し、画像データに基づいた画像を表示させ、この表示画像を画像書込位置に搬入された表示記録媒体１に書き込みする。
【００３０】
端子取付部１１６には、給電端子１１７Ａ，１１７Ｂが取り付けられており、端子取付部１１６に取り付けられており、媒体押付け部１３４が動作することにより、電子ペーパ１０の受電部１２Ａ，１２Ｂに接触し、受電部１２Ａ及び１２Ｂに所定の電圧を印加する。
【００３１】
ストッパ１１８Ａ，１１８Ｂは、垂直位置と水平位置の間を回転し、起立したとき、空間１５２に搬入された表示記録媒体１を定位置に停止させる。また、水平位置になると、表示記録媒体１の空間１５２からの排出を可能にする。
【００３２】
媒体停止センサ１１９は、空間１５２に搬入された表示記録媒体１が定位置に到達したか否かを検出する。排出終了センサ１２０は、書込みの終了した表示記録媒体１が装置外へ搬出され、表示記録媒体１の後端の通過を検出することにより、表示記録媒体１が排出口１５３から排出されたことを検知する。
【００３３】
誤差しセンサ１３１Ａ，１３１Ｂ、媒体停止センサ１１９、および排出終了センサ１２０は、それぞれ表示記録媒体１に光を照射する発光素子と、表示記録媒体１で反射した光を受光する受光素子とを備えて構成されている。
【００３４】
また、下部筐体１１０の上面には、給電端子１１７Ａ，１１７Ｂを逃げるための逃げ穴１２２が形成されている。これにより、表示記録媒体１が画像書込位置に存在しないとき、誤動作により押圧板１３３が下降しても給電端子１１７Ａ，１１７Ｂが変形や破損するのを防ぐことができる。
【００３５】
誤差しセンサ１３１は、挿入方向識別帯２２及び下面の挿入方向識別帯を検出するめに挿入口１５１の中心の両側に設けられており、表示記録媒体１の光反射率を検出し、表示記録媒体１の挿入方向が正しいか否か検出する。なお、誤差しセンサ１３１Ａは、表示記録媒体１の給紙を検出する機能も兼ねている。
【００３６】
媒体押付け部１３４は、画像書込位置に搬入された表示記録媒体１を下部筐体１１０の上面に押圧するために用いられ、図４の（ｂ），（ｃ）に示すように、上部筐体１３０の中央に形成された開口１３５から出没可能に設けられた押圧板１３３と、押圧板１３３を下方に移動させる電磁ソレノイド１３２Ａ，１３２Ｂとを備える。
【００３７】
媒体押付け部１３４の押圧板１３３は、表示記録媒体１を下方に押圧し、電磁ソレノイド１３２Ａ，１３２Ｂは、押圧板１３３を下方へ押し下げて表示記録媒体１をＬＣＤパネル１１３の光出射面１２１に密着させるための駆動源として機能する。
【００３８】
（書込み動作）
次に、表示記録媒体１を画像書込装置１００に装填したときの書込み動作を説明する。図４の（ａ）のように、ユーザーが手で表示記録媒体１を挿入口１５１に挿入すると、誤差しセンサ１３１Ａ，１３１Ｂの発光素子が発光する光が表示記録媒体１の表面２０ａで反射し、受光素子がその反射光を受光して光反射率に応じた電圧の検出信号を出力する。この検出信号に基づいて、図示しない制御部が表示記録媒体１の向きが正しいか否かを判別する。
【００３９】
表示記録媒体１が、正しい向き（表面２０ａが表で且つ短辺が挿入方向に平行な向き）で挿入された場合、誤差しセンサ１３１Ａ，１３１Ｂが高い光反射率、すなわち白を検出しているので、図示しない制御部は表示記録媒体１のセットを正しいと判別する。すると、媒体搬送部１１２の搬送モータが駆動され、搬送ローラ１１１Ａ〜１１１Ｄが回転し、表示記録媒体１はガイド１２４Ａ，１２４Ｂにガイドされながら書込位置方向へ搬送される。表示記録媒体１がセット位置から搬送され、先端がストッパ１１８Ａ，１８１Ｂに当接すると、画像書込位置に到達する。更に、媒体停止センサ１１９が表示記録媒体１を検出すると、搬送ローラ１１１Ａ〜１１１Ｄの回転駆動が停止され、表示記録媒体１は移動を停止する。
【００４０】
ついで、媒体押付け部１３４の電磁ソレノイド１３２Ａ，１３２Ｂが駆動され、押圧板１３３を押し下げ、表示記録媒体１の裏面２０ｂをＬＣＤパネル１１３の光出射面１２１に密着させる。押圧板１３３によって表示記録媒体１が押圧されるとき、一対の給電端子１１７Ａ，１１７Ｂが表示記録媒体１の受電部１２Ａ，１２Ｂに接触する。
【００４１】
給電端子１１７Ａ，１１７Ｂは、図４の（ｃ）に示すように、先端部は弾性力を生じるようにＪ字形に曲げ加工が施されている。したがって、端子取付部１１６が媒体押付け部１３４によって上方から押圧されると、図２のカートリッジ２０の開口２３Ａ，２３Ｂを通して給電端子１１７Ａ，１１７Ｂの先端面が、電子ペーパ１０の受電部１２Ａ，１２Ｂに弾性変形しながら接触する。給電端子１１７Ａ，１１７Ｂと受電部１２Ａ，１２Ｂとが接触することにより、電子ペーパ１０の一対の透明電極１４Ａ，１４Ｂ間に電圧が印加され、書込みが行える状態になる。
【００４２】
このとき、表示記録媒体１がＬＣＤパネル１１３に密着し、透明電極１４Ａ，１４Ｂ間に電圧が印加されている状態で書込部１１５が動作すると、表示記録媒体１への画像書込みが行われる。
【００４３】
すなわち、不図示の制御部によってバックライト１１４が点灯され、そのバックライト光がＬＣＤパネル１１３に照射させ、不図示のパルス電源部から給電端子１１７Ａ，１１７Ｂを介して表示記録媒体１の透明電極１４Ａ，１４Ｂ間にパルス電圧が印加されるとともに、画像データに基づく駆動信号がＬＣＤパネル１１３に出力される。ＬＣＤパネル１１３は、制御部からの駆動信号に基づいて書込みパターン光３０を表示記録媒体１の裏面２０ｂから照射する。
【００４４】
書込みパターン光３０は、表示記録媒体１内の電子ペーパ１０の裏面１０ｂ側の基板１３Ｂ、透明電極１４Ｂ、液晶層１５および隔離層１６を通って光導電層１７を照射する。光導電層１７は、光が照射された部分の抵抗値が小さくなり、それにより、光導電層１７とのインピーダンス比で決まる液晶層１５の分圧が増加し、液晶層１５における光反射率が大きくなる。従って、電子ペーパ１０の書込表示領域１１を裏面２０ｂから見た場合、光が照射された領域は、液晶層１５で反射して白く見え、光が照射されていない領域は液晶層１５を通過して光吸収層１８で吸収されるため、黒く見える。これにより、可視像として見ることが可能な画像が記録される。
【００４５】
なお、表示記録媒体１に書き込むべき画像データは、半導体メモリ、ハードディスク等の記憶媒体から得られるほか、外部装置から通信インターフェース等を介して取り込むことにより得ることができる。
【００４６】
表示記録媒体１への画像の書込みが終了すると、媒体押付け部１３４が駆動され、押圧板１３３を初期位置に退避させる。同時に、ストッパ１１８Ａ，１１８Ｂが水平位置に倒れる様に駆動され、搬送ローラ１１１Ａ〜１１１Ｄが回転駆動されることにより、表示記録媒体１は排出口１５３から排出され、ユーザーは表示記録媒体１を手に取ることができる。
【００４７】
（第１の実施の形態の効果）
この第１の実施の形態によれば、以下の効果を奏する。
（イ）電子ペーパ１０はカートリッジ２０に収納されているため、画像書込装置１００に通して何度書込み（又は書き換え）を行っても、電子ペーパ１０の書込表示領域１１側の基板１３Ｂに疵などが付くことがなく、高価な電子ペーパ１０を長期にわたって使用することが可能になる。
（ロ）使用回数の増加により、カートリッジ２０の表面に疵や汚れが付いたりするが、カートリッジ２０の製造コストは電子ペーパ１０に比べて遙に安価にできるため、ユーザーの負担は大幅に軽減される。
【００４８】
［第２の実施の形態］
図５は、本発明の第２の実施の形態に係る表示記録媒体１を示す。上記実施の形態は、給電端子１１７Ａ，１１７Ｂが受電部１２Ａ，１２Ｂに直接接触する構造であるため、給電端子１１７Ａ，１１７Ｂとの接触により劣化が生じたり、開口２３Ａ，２３Ｂに異物が侵入するおそれがある。この問題を解決できるようにしたのが、この第２の実施の形態の表示記録媒体１である。この第２の実施の形態の表示記録媒体１が、図２の表示記録媒体１と異なるところは、開口２３Ａ，２３Ｂにコンタクト２４Ａ，２４Ｂを埋め込んだ構成にある。他の構成は、図２と同じである。このコンタクト２４Ａ，２４Ｂは、給電端子１１７Ａ，１１７Ｂの押圧動作によってカートリッジ２０が弾性変形し、受電部１２Ａ，１２Ｂに接触する。
【００４９】
（第２の実施の形態の効果）
この第２の実施の形態によれば、コンタクト２４Ａ，２４Ｂを設けたことにより、電子ペーパ１０の受電部１２Ａ，１２Ｂは露出することがなく、しかも、給電端子１１７Ａ，１１７Ｂに接触せず、また擦られることもない。このため、受電部１２Ａ，１２Ｂはコンタクト２４Ａ，２４Ｂによって保護され、劣化させることがないので、電子ペーパ１０の耐久性は更に向上する。
【００５０】
なお、コンタクト２４Ａ，２４Ｂは、電子ペーパ１０をカートリッジ２０に装着したときに弾性変形して受電部１２Ａ、１２Ｂに接触する構成としてもよい。また、上記第１の実施の形態の表示記録媒体１における電子ペーパ１０は、書込みパターン光３０の方向と、書込み後の画像を見る方向とが同じであったが、書込みパターン光３０の方向と画像を見る方向とを逆にすることもできる。このタイプの電子ペーパを以下に説明する。
【００５１】
［第３の実施の形態］
図６は、本発明の第３の実施の形態に係る電子ペーパを示す。この第３の実施の形態の電子ペーパ１０は、対向配置されたＰＥＴフィルムからなる一対の基板１３Ａ，１３Ｂと、この基板１３Ａ，１３Ｂの内側に設けられたＩＴＯからなる一対の透明電極１４Ａ，１４Ｂと、透明電極１４Ａの内側に設けられ、印加電圧に応じて反射率（透過率）が変化するコレステリック液晶からなる液晶層１５と、透明電極１４Ｂの内側に設けられた光導電層１７と、この光導電層１７と液晶層１５との間に設けられた光吸収層１８とを備えて構成されている。この場合、受電部は表面１０ａに設けられており、カートリッジの透光部は表面および裏面に設けられている。
【００５２】
（第３の実施の形態の効果）
図６の電子ペーパ１０は、図２に示した電子ペーパ１０に対し、光吸収層１８が図２の隔離層１６の位置に設けて構成されており、書込みパターン光３０は裏面１０ｂから照射されるが、書き込まれた液晶層１５上の画像を見る方向は、図２の場合と異なり、表面１０ａ側のＥ方向から見ることができる。したがって、ユーザーは、画像書込装置１００から排出された表示記録媒体１を裏返しにすることなく、表示記録媒体１の上面を見れば、直ちに画像内容を確認することができる。
【００５３】
［第４の実施の形態］
図７は、本発明の第４の実施の形態に係る表示記録媒体を示す。同図中、（ａ）は平面図、（ｂ）は（ａ）のＢ−Ｂ断面図である。この第４の実施の形態の表示記録媒体１は、図１に示した表示記録媒体１において、そのカートリッジ２０のそれぞれの短辺の近傍に表示記録媒体１の搬送を補助する搬送補助手段としての搬送補助部材４０Ａ，４０Ｂを設けたものである。
【００５４】
搬送補助部材４０Ａ，４０Ｂは、搬送ローラ１１１Ａ，１１１Ｂが表示記録媒体１を確実に搬送できるような形状、例えば、山と谷を交互に設けた凹凸、やすり面状などにし、摩擦力が多くなるようにする。搬送補助部材４０Ａ，４０Ｂは、カートリッジ２０と一体成形にすることも、別部品にして貼着する構成にすることもできる。別部品にした場合、その材料には、ゴム、合成樹脂等の高摩擦部材を用いることができる。別部品にしなくても、カートリッジ２０全体を高摩擦部材によって形成してもよい。これにより、部品点数を削減することができる。
【００５５】
（第４の実施の形態の効果）
この第４の実施の形態によれば、搬送補助部材４０Ａ，４０Ｂを設けたことにより、搬送補助部材４０Ａ，４０Ｂと搬送ローラ１１１Ａ，１１１Ｂとの摩擦力を増やすことができるため、滑りを生じることなく表示記録媒体１を確実に搬送することができる。
【００５６】
なお、コンタクト２４Ａ，２４Ｂを用いずに受電部１２Ａ，１２Ｂを開口２３Ａ，２３Ｂから露出させた構成でもよい。また、表示記録媒体１を円滑に搬送できるのであれば、搬送補助部材４０Ａ，４０Ｂの一方を省略してもよい。また、搬送補助部材を表示記録媒体１の両面に設けてもよい。この場合、一対の搬送ローラで表示記録媒体１を挟持して搬送する場合に適用することができる。また、搬送ローラの代りに歯車等の搬送手段を用いてもよい。また、表示記録媒体１に搬送補助手段として磁性体を設け、リニアモータ等の磁気的搬送手段を用いて表示記録媒体１を搬送してもよい。
【００５７】
［第５の実施の形態］
図８は、本発明の第５の実施の形態に係る表示記録媒体を示す。同図中、（ａ）は平面図、（ｂ）は（ａ）のＣ−Ｃ断面図である。この第５の実施の形態の表示記録媒体１は、図６で説明した第３の実施の形態の電子ペーパ１０とカートリッジを用いるが、このカートリッジ２０の上部の２ヵ所に係合部としての開口５１Ａ，５１Ｂを設けたものである。この開口５１Ａ，５１Ｂには、図８の（ｂ）のように、壁やつり下げ具等に取り付けられた係止部材としてのフック５２が係合される。なお、開口５１Ａ，５１Ｂは、いずれか１つとし、中央部に設けてもよい。或いは、複数の辺に設けられていてもよい。
【００５８】
（第５の実施の形態の効果）
この第５の実施の形態によれば、表示記録媒体１を立てかけた状態で吊り下げ具や壁等に掛けて使用することができるため、会議等で多数の人が表示記録媒体１の画像を見ることが可能になる。また、吊り下げ具や壁等に掛けた状態でプロジェクタを用いて表示記録媒体１に書込みを行うことができる。また、開口５１Ａ，５１Ｂは表示記録媒体１の搬送や保管等に用いることもできる。
【００５９】
［第６の実施の形態］
図９は、本発明の第６の実施の形態に係る表示記録媒体を示す。同図中、（ａ）は斜視図、（ｂ）は（ａ）のＤ−Ｄ断面を示している。この第６の実施の形態の表示記録媒体６０は、２枚のカートリッジ２０を連結して見開きで２枚の画像を見れるようにし、また、保管や持ち運び時などの使用しないときには折り畳めるようにしたときでも、電子ペーパ１０のリサイクルを可能にしたものである。
【００６０】
基本的な構成は、図６で説明した表示記録媒体１を２枚並べ、連結部材６１Ａ，６１Ｂで連結したものである。連結部材６１Ａ，６１Ｂは、ゴム、ビニールなどの柔軟性を有する素材を用いて作られており、２枚の電子ペーパ１０Ａ，１０Ｂの隣接間に接着剤などにより貼着される。図９では、連結部材６１Ａ，６１Ｂの幅を短くしたが、カートリッジ２０Ａ，２０Ｂの長辺の全長に及ぶ長さにしてもよい。また、連結部材６１Ａ，６１Ｂは柔軟性を有する素材によるほか、金属製の蝶番を用いた構成であってもよい。
【００６１】
一対のカートリッジ２０Ａ，２０Ｂのうち左側のカートリッジ２０Ｂは、電子ペーパ１０Ｂの挿入口がカートリッジ２０Ａとは逆になっている。ここでは、カートリッジ２０Ａ，２０Ｂのコンタクト２４Ａ，２４Ｂ，２４Ａ′，２４Ｂ′は、図５の構成を採用しているが、図２に示した構成であってもよい。この場合、コンタクト２４Ａ，２４Ｂ，２４Ａ′，２４Ｂ′に代えて受電部１２Ａ，１２Ｂを開口２３Ａ，２３Ｂから露出させた構成となる。
【００６２】
（第６の実施の形態の効果）
この第６の実施の形態によれば、以下の効果を奏する。
（イ）２枚のカートリッジ２０Ａ，２０Ｂを連結して見開きで２枚の画像を見れるようにした場合でも、カートリッジ２０Ａ，２０Ｂに疵や汚れが目立つようになったとき、低価格なカートリッジ２０Ａ，２０Ｂの一方又は両方を交換するのみで、高価な電子ペーパ１０Ａ，１０Ｂはリサイクルが可能になる。従って、ランニングコストを安くすることができる。
（ロ）カートリッジ２０Ａ，２０Ｂは、２枚が柔軟性を有する連結部材６１Ａによって折り畳み自在に結合されている構成にすることにより、関連性のある画像の書込み及び管理が容易になるとともに、１枚のカートリッジに疵、磨耗、汚れなどが生じても、電子ペーパのリサイクルが可能になる。
（ハ）カートリッジ２０Ａ，２０Ｂを折り畳んだとき、コンタクトは内側に位置するので、持ち運びや保管等の際にコンタクトに傷などが付くのを防ぐことができる。
【００６３】
［第７の実施の形態］
図１０（ａ）〜（ｃ）は、本発明の第７の実施の形態に係る表示記録媒体を示す。この第７の実施の形態に係る表示記録媒体は、カートリッジ２０のコンタクト２４Ａ，２４Ｂ側に、電子ペーパ１０の受電部１２Ａ，１２Ｂに弾性的に接触する導電性弾性部材を設けたものである。
【００６４】
図１０（ａ）に示す例は、導電性弾性部材としてスプリング電極２６Ａ，２６Ｂを用いたものである。スプリング電極２６Ａ，２６Ｂとしては、例えば、リン青銅，ベリリュウム銅等の銅合金やステンレス鋼等の導電性を有するばね材料を用いることができる。
【００６５】
図１０（ｂ）に示す例は、導電性弾性部材として導電性ゴム２７Ａ，２７Ｂを用いたものである。導電性ゴム２７Ａ，２７Ｂの代わりに、弾性を有する導電性プラスチックを用いることもできる。
【００６６】
図１０（ｃ）に示す例は、導電性弾性部材として導電性ゴム２７Ａ，２７Ｂを用い、さらに、コンタクト２４Ａ，２４Ｂ、導電性ゴム２７Ａ，２７Ｂ、受電部１２Ａ，１２Ｂの接続を確実にするため、カートリッジ２０に電子ペーパ１０を装着後、同図矢印に示す方向にクランプ２８を装填し、クランプ２８の弾性力によってカートリッジ２０を電子ペーパ１０側に押え付けたものである。
【００６７】
クランプ２８は、弾性を有する金属，プラスチック等の材料からなり、先端にカートリッジ２０に設けた凹部２０ｅに係止する凸部２８ａを有する。図１０（ｃ）に示す場合は、導電性ゴム２７Ａ，２７Ｂの代わりに図１０（ａ）に示すスプリング電極２６Ａ，２６Ｂや導電性プラスチックを用いてもよい。
【００６８】
この第７の実施の形態によれば、導電性弾性部材を介してカートリッジ２０のコンタクト２４Ａ，２４Ｂと電子ペーパ１０の受電部１２Ａ，１２Ｂとを電気的に接続しているので、コンタクト２４Ａ，２４Ｂと受電部１２Ａ，１２Ｂとの導通を確実に行うことができる。なお、上記実施の形態では、導電性弾性部材をカートリッジ２０側に設けたが、電子ペーパ１０側に設けてもよい。
【００６９】
〔他の実施の形態〕
なお、本発明は、上記実施の形態に限定されず、その要旨を変更しない範囲内で種々変形実施が可能である。上記各実施の形態は、相互に組み合わせることができる。例えば、図７の実施の形態と図８の実施の形態の組み合わせや、図８の実施の形態と図９の実施の形態の組み合わせなどが可能である。
【００７０】
また、上記実施の形態においては、カートリッジ２０は、電子ペーパ１０の挿入口を長辺側に設けたが、短辺側に設けてもよい。また、電子ペーパ１０の挿入口は、４辺の何れであってもよい。
【００７１】
また、上記実施の形態では、一対の受電部１２Ａ，１２Ｂを同じ面に設けたが、互いに反対の面に設けてもよく、表示記録媒体１の側面等の他の部分に設けてもよい。また、受電部、書込み領域、表示領域を設ける位置は任意に組み合わせることができる。
【００７２】
また、上記実施の形態では、画像書込装置は、給電端子を上部筐体に設け、書込部を下部筐体に設けたが、これらの場所は上記実施の形態に限定されず、表示記録媒体に応じて配置することができる。例えば、表示記録媒体の表面に書込み表示領域と受電部が設けられている場合に、画像書込装置として、上部筐体に給電端子と書込部を配置してもよい。
【００７３】
カートリッジの代わりに、電子ペーパ１０をフッ素樹脂，ポリオレフィン等の熱収縮部材によって被覆してもよい。これにより、電子ペーパ１０の表面を簡易に保護することができる。
【００７４】
複数の電子ペーパを収容した複数のカートリッジをマトリックス状、帯状、ロール状あるいは環状に設けてもよい。例えば、マトリックス状に設けることにより、大画面での表示が可能になり、屋内でのプレゼンテーションや屋外での公告表示等に利用することができる。また、環状に設けることにより、四方から表示画像を見ることができ、公告や案内表示等に利用することができる。
【００７５】
媒体本体としては、上記の他、強誘電液晶に代表されるメモリー性のある液晶や、帯電した粒子を移動させて表示を切り替える電気泳動方式、帯電した粒子を回転させて表示を切り替える粒子回転方式、磁気により粒子を移動させて表示を切り替える磁気泳動方式を用いても良い。
【図面の簡単な説明】
【００７６】
【図１】本発明の第１の実施の形態に係る表示記録媒体を示し、（ａ）は分解斜視図、（ｂ）は組み付け後の斜視図である。
【図２】図１の（ｂ）に示す表示記録媒体のＡ−Ａ線の断面図である。
【図３】本発明の実施の形態に係る表示記録媒体に画像書き込を行うための画像書込装置の主要部の構成を示す平面図である。
【図４】図３の画像書込装置の断面図を示し、（ａ）は図３のＦ−Ｆ線の断面図、（ｂ）は図３のＧ−Ｇ線の断面図、（ｃ）は図３のＨ−Ｈ線の断面図である。
【図５】本発明の第２の実施の形態に係る表示記録媒体の主要部を示す部分断面図である。
【図６】本発明の第３の実施の形態に係る電子ペーパを示す断面図である。
【図７】本発明の第４の実施の形態に係る表示記録媒体を示し、（ａ）は平面図、（ｂ）は（ａ）のＢ−Ｂ線の断面図である。
【図８】本発明の第５の実施の形態に係る表示記録媒体を示し、（ａ）は平面図、（ｂ）は（ａ）のＣ−Ｃ線の断面図である。
【図９】本発明の第６の実施の形態に係る表示記録媒体を示し、（ａ）は斜視図、（ｂ）は（ａ）のＤ−Ｄ線の断面図である。
【図１０】（ａ）〜（ｃ）は本発明の第７の実施の形態に係る表示記録媒体の部分断面図である。
【符号の説明】
【００７７】
１  表示記録媒体
１０，１０Ａ，１０Ｂ  電子ペーパ
１０ａ  表面
１０ｂ  裏面
１１  画像書込領域
１２Ａ，１２Ｂ  受電部
１３Ａ，１３Ｂ  基板
１４Ａ，１４Ｂ  透明電極
１５  液晶層
１６  隔離層
１７  光導電層
１７ａ，１７ｃ  電荷発生層
１７ｂ  電荷輸送層
１８  光吸収層
１９  延在部
２０，２０Ａ，２０Ｂ  カートリッジ
２０ａ  表面
２０ｂ  裏面
２０ｅ  凹部
２１  収納部
２２  挿入方向識別帯
２３Ａ，２３Ｂ  開口
２４Ａ，２４Ｂ，２４Ａ′，２４Ｂ′  コンタクト
２５，２５Ａ，２５Ｂ  透光部
２６Ａ，２６Ｂ  スプリング電極
２７Ａ，２７Ｂ  導電性ゴム
２８  クランプ
２８ａ  凸部
３０  書込みパターン光
４０Ａ，４０Ｂ  搬送補助部材
５１Ａ，５１Ｂ  開口
５２  フック
６０  表示記録媒体
６１Ａ，６１Ｂ  連結部材
１００  画像書込装置
１１０  下部筐体
１３０  上部筐体
１１１Ａ〜１１１Ｄ  搬送ローラ
１１２  媒体搬送部
１１３  ＬＣＤ（液晶ディスプレィ）パネル
１１４  バックライト
１１５  書込部
１１６  端子取付部
１１７Ａ，１１７Ｂ  給電端子
１１８Ａ，１１８Ｂ  ストッパ
１１９  媒体停止センサ
１２０  排出終了センサ
１２１  光出射面
１２２  逃げ穴
１２３Ａ，１２３Ｂ  開口
１２４Ａ，１２４Ｂ  ガイド
１３１Ａ，１３１Ｂ  誤差しセンサ
１３２Ａ，１３２Ｂ  電磁ソレノイド
１３３  押圧板
１３４  媒体押付け部
１３５  開口
１５１  挿入口
１５２  空間
１５３  排出口
【図１】
2005266543.tif 000003
【図２】
2005266543.tif 000004
【図３】
2005266543.tif 000005
【図４】
2005266543.tif 000006
【図５】
2005266543.tif 000007
【図６】
2005266543.tif 000008
【図７】
2005266543.tif 000009
【図８】
2005266543.tif 000010
【図９】
2005266543.tif 000011
【図１０】
2005266543.tif 000012